(57)【要約】      （修正有）【課題】ライトカバーとライト台の接合強度を高めて緩みにくくし、且つ水気が侵入するのを有効に防止する蛍光灯を提供する。【解決手段】蛍光灯は、少なくともライト台２０、ライトカバー３０及び少なくとも一光源モジュール４０を含む。ライトカバー両側は、それぞれ掛合部品３１を設置してライト台の嵌合槽２４内に相対して固定し、掛合部品は、進入部及び凸部を形成して、嵌合槽は掛合部品の上・下側に挟持して固定する第一、第二挟持部を形成する。【選択図】図２
0003172686.tif 000002
【実用新案登録請求の範囲】
【請求項１】
ライト台、ライトカバー及び少なくとも一光源モジュールを設置し、該ライト台の内部は納置空間を形成し、該ライトカバーは該ライト台と共に納置空間の開口を塞ぎ、該光源モジュールは該納置空間に設置し、且つ該ライトカバー箇所に向けて出光する蛍光灯において、
該ライトカバーの両側はそれぞれ掛合部品を設置し、該ライト台の嵌合槽内で相対して固定し、該掛合部品は進入部及び凸部を成形して該凸部は該進入部のライトカバーに遠い方向に向けて伸びて突出し、該嵌合槽は該掛合部品の上、下側に挟持して固定する第一、第二挟持部を相対して形成することを特徴とする蛍光灯。
【請求項２】
前記納置空間は、底面両側に該納置空間両側内壁へ伸びて適する深さの掛合槽を形成することを特徴とする請求項１記載の蛍光灯。
【請求項３】
前記ライト台は、外側に複数の放熱フィンを成形することを特徴とする請求項１もしくは２記載の蛍光灯。
【請求項４】
前記ライトカバーは、納置空間に向けて複数のマイクロ光学構造を成形することを特徴とする請求項１もしくは２記載の蛍光灯。
【請求項５】
前記光源モジュールは、回路板及び該回路板に設置した複数の発光ダイオードを設置することを特徴とする請求項１もしくは２記載の蛍光灯。
【請求項６】
前記嵌合槽は、鋭角構造であり、且つ該凸部もまた相対した鋭角構造であることを特徴とする請求項１もしくは２記載の蛍光灯。
【考案の詳細な説明】
【技術分野】
【０００１】
本考案は、蛍光灯の構造に関するもので、主に該ライトカバーと該ライト台の接合強度を高めて緩みにくくし、且つ水気が侵入するのを有効に防止する蛍光灯に係わる。
【背景技術】
【０００２】
一般に見かける室内光源の照明設備は蛍光灯であるが、通常は天井に設置し、蛍光灯の周囲には反射板を設置し、蛍光灯が発する照明を反射して均一に放光し、室内を均一に明るくする。しかしながら、一般の蛍光灯が提供する光源は、高周波で明滅する光源であるため、使用過程で発生する光は使用者が目でその明かりに照らされた物を見続けると疲労を起こす。更に一定の光源輝度を提供するため、蛍光灯が消耗する電気エネルギーの使用コストは高くなる。
【０００３】
ところで、近年では発光ダイオード(LED)の技術が日増しに向上し、応用範囲が広がっており、日常生活品にも使用されるようになってきた。発光ダイオードは、低圧高電流の方式で発光し、更に発光ダイオードの使用寿命も長いため、低電気消耗を備え、発光ダイオードが発する熱エネルギーも小さいため、発光ダイオードは環境保護に符合し、LED蛍光灯が研究開発されている。
【０００４】
公知の技術には「LED蛍光灯構造」があり（特許文献１を参照）、該LED蛍光灯構造は、放熱台座１０、プリント回路板１２及びライトカバー１４を含む。該放熱台座１０は中空管状で、且つ複数の放熱フィン１０１を備え、該放熱台座の両側にはそれぞれ第一固定構造１０７を備え、且つ該ライトカバー１４の両側にはそれぞれ第二固定構造１４３を備える。該第二固定構造１４３は該第一固定構造１０７に固定し、該ライトカバー１４は更に外発光層１４０及び内発光層１４２を含む。該外発光層１４０と該内発光層１４２間には空間を備えて中空部１４４を形成する。該ライトカバーの該内発光層１４２が該プリント回路板１２を押さえ、該プリント回路板１２を該放熱台座１０に固定するので、該プリント回路板１２を該放熱台座１０に固定するのに、如何なる部品も使用する必要がなく、LED蛍光灯構造全体を完成する。
【０００５】
しかしながら、該第一固定構造１０７はレール表面であり、該第二固定構造１４３は滑動槽構造であり、両者間の嵌合作用は安定せず、相互の緩みが発生する可能性が起こりやすく、更には外部の水気が該第一固定構造１０７及び第二固定構造１４３の隙間から該ライトカバー１４内部へ浸入しやすく、内部のプリント回路板及びLEDの運転に影響を及ぼす。
【先行技術文献】
【特許文献】
【０００６】
【特許文献１】台湾  発明特許公告第M３６７２９０号
【考案の概要】
【考案が解決しようとする課題】
【０００７】
解決しようとする問題点は、固定構造の隙間から水気が入りやすいため、内部の運転に影響を及ぼす点である。
【課題を解決するための手段】
【０００８】
本考案は、少なくともライト台、ライトカバー及び少なくとも一光源モジュールを含む。該ライトカバー両側は、それぞれ掛合部品を設置して該ライト台の嵌合槽内に相対して固定し、該掛合部品と該嵌合槽の作用によって、該ライトカバーと該ライト台が安定して接合して緩まず、且つ水気が浸入するのを有効に防止し，内部の光源モジュールの正常運転を維持することを最も主要な特徴とする。
【考案の効果】
【０００９】
本考案の蛍光灯は、該ライトカバーと該ライト台の接合強度を高めて緩みにくくし、且つ水気が侵入するのを有効に防止するという利点がある。
【図面の簡単な説明】
【００１０】
【図１】公知の発光ダイオード蛍光灯の構造立体図である。
【図２】本考案の良好な実施例である蛍光灯の構造分解図である。
【図３】本考案の良好な実施例である蛍光灯の構造断面図である。
【図４】本考案の良好な実施例である蛍光灯の拡大構造指示図である。
【図５】本考案の別の良好な実施例である蛍光灯の構造断面図である。
【考案を実施するための形態】
【００１１】
該ライトカバーと該ライト台の接合強度を高めて緩まず、且つ水気が浸入するのを有効に防止する蛍光灯の構造を提供することを本考案の目的とする。
【００１２】
上述の目的を達成するため、本考案のライトカバー構造は、少なくともライト台、ライトカバー及び少なくとも一光源モジュールを含む。該ライト台内部は納置空間を形成し、該ライトカバーは該ライト台と共に納置空間開口を塞ぐ。また該光源モジュールは、該納置空間内に設置する。そのうち、該ライトカバー両側はそれぞれ掛合部品を設置し、該ライト台の嵌合槽内で相互に固定する。該掛合部品は進入部及び凸部を成形し、該凸部は該進入部のライトカバーに遠い方向に向けて伸びて突出し、該嵌合槽は該掛合部品の上、下側に挟持して固定する第一、第二挟持部を相対して形成する。該掛合部品と該嵌合槽の作用によって、該ライトカバーと該ライト台をしっかりと接合して緩まず、且つ水気が浸入するのを有効に防止し，内部の光源モジュールの正常運転を維持する。
【実施例１】
【００１３】
図２は本考案の良好な実施例で発光ダイオード蛍光灯構造分解図であり、図３は本考案の良好な実施例で発光ダイオード蛍光灯構造断面図である。本考案の蛍光灯２は、ライト台２０、ライトカバー３０及び少なくとも一光源モジュール４０を設置する。そのうち、
【００１４】
該ライト台２０は、断面蓋であり半円形状のアルミ搾り出し構造体である。それは半円の内部に相対して凹形の納置空間２１を形成する。該納置空間２１の底面両側は、該納置空間２１両側内壁に適する深さを備え、該納置空間２１両側内壁にはそれぞれ一本の掛合槽２２を成形し、他に該ライト台２０の半円に相対する外部には複数の放熱フィン２３を設置する。
【００１５】
少なくとも一光源モジュール４０は、基板４１及び複数の該基板４１上に設置する発光ダイオード４２を設置し、該基板４１は二本の掛合槽２２を用いて該納置空間２１の平面上に嵌入固定し、各発光ダイオード４２を該ライトカバー３０に向けて出光する。
【００１６】
該ライトカバー３０は、該ライト台２０と共に納置空間２１開口を塞ぐ。そのうち、ライトカバー３０両側にはそれぞれ掛合部品３１を設置して該ライト台２０の嵌合槽２４内に相対させて固定し、該掛合部品３１進入部３１１及び凸部３１２を成形し、図４に示すとおり、該凸部３１２は該進入部３１１のライトカバー３０に遠い方向へ向けて伸長突出し、該嵌合槽２４は該掛合部品３１上、下側の第一、第二挟持部２４１、２４２に挟持して固定する。
【００１７】
そのうち，該ライトカバーの掛合部品３１は、該ライト台の嵌合槽２４内に滑動して設置され、更に該第一、第二挟持部２４１、２４２で該ライトカバー３０と該ライト台１０を安定して結合し、緩まないようにする。そして該凸部３１２の作用によって水気が浸入するのを有効に防止し、内部の光源モジュールの正常運転を維持する。
【実施例２】
【００１８】
更に、該ライトカバー３０は納置空間２１箇所に向かって複数のマイクロ光学構造３２を形成する。図５に示すとおり、各マイクロ光学構造３２は該ライトカバー３０の縱方向に向かって伸び、光線を各マイクロ光学構造の屈折作用によって光線の均一性を高め、良好な出光効果を備える。該嵌合槽２４の形式は、図に示す実施例でもよく、鋭角構造であり、且つ該凸部３１２もまた相対して鋭角構造を形成する。
【００１９】
上述のとおり、本考案は実施可能な蛍光灯の構造を提供し、法に基づき、実用新案登録を申請する。本考案の技術内容及び技術特徴は上述のとおりであるが、当領域に習熟した者が本考案の提示に基づき本考案の精神から乖離しない各種入替及び修飾を提出するかもしれない。拠って、本考案の保護範囲は実施例に制限されず、本考案から乖離しない各種の入替及び修飾を含み、以下の請求範囲を申請する。
【符号の説明】
【００２０】
１０        放熱台座
１０１      放熱フィン
１０７      第一固定構造
１２        プリント回路板
１４        ライトカバー
１４０      外発光層
１４２      内発光層
１４３      第二固定構造
１４４      中空部
２          蛍光灯
２０        ライト台
２１        納置空間
２２        掛合槽
２３        放熱フィン
２４        嵌合槽
２４１      第一挟持部
２４２      第二挟持部
３０        ライトカバー
３１        掛合部品
３１１      進入部
３１２      凸部
３２        マイクロ光学構造
４０        光源モジュール
４１        基板
４２        発光ダイオード
【図１】
0003172686.tif 000003
【図２】
0003172686.tif 000004
【図３】
0003172686.tif 000005
【図４】
0003172686.tif 000006
【図５】
0003172686.tif 000007